(57)【特許請求の範囲】
【請求項１】
ユーザ機器によるメッセージの受信に応答して、
第一のＡＣＫ／ＮＡＣＫフィードバック応答を第一のアップリンク送信リソースを利用して送信することと、
複数の追加のＡＣＫ／ＮＡＣＫフィードバック応答を送信することであって、該複数の追加のＡＣＫ／ＮＡＣＫフィードバック応答のそれぞれは、第二のアップリンク送信リソースを利用する、ことと
を包含し、
該第二のアップリンク送信リソースは、該第一のアップリンク送信リソースとは異なり、該第一のアップリンク送信リソースおよび該第二のアップリンク送信リソースは、異なる巡回シフトを利用する、方法。
【請求項２】
ユーザ機器であって、
プロセッサと、
通信サブシステムと
を備え、
該プロセッサと該通信サブシステムとは、協働して、該ユーザ機器によるメッセージの受信に応答して、
第一のＡＣＫ／ＮＡＣＫフィードバック応答を第一のアップリンク送信リソースを利用して送信することと、
複数の追加のＡＣＫ／ＮＡＣＫフィードバック応答を送信することであって、該複数の追加のＡＣＫ／ＮＡＣＫフィードバック応答のそれぞれは、第二のアップリンク送信リソースを利用する、ことと
を行い、
該第二のアップリンク送信リソースは、該第一のアップリンク送信リソースとは異なり、該第一のアップリンク送信リソースおよび該第二のアップリンク送信リソースは、異なる巡回シフトを利用する、ユーザ機器。
【請求項３】
前記第一の巡回シフトは、制御チャネルに関連付けられたインデックスに基づいて決定される、請求項１に記載の方法。
【請求項４】
前記複数の追加のＡＣＫ／ＮＡＣＫ応答のそれぞれは、前記第一のＡＣＫ／ＮＡＣＫ応答の再送である、請求項１に記載の方法。
【請求項５】
前記第一の巡回シフトは、制御チャネルに関連付けられたインデックスに基づいて決定される、請求項２に記載のユーザ機器。
【請求項６】
前記複数の追加のＡＣＫ／ＮＡＣＫ応答のそれぞれは、前記第一のＡＣＫ／ＮＡＣＫ応答の再送である、請求項２に記載のユーザ機器。
【発明の詳細な説明】
【技術分野】
【０００１】
（開示の分野）
本開示は、ロングタームエボリューション（ｌｏｎｇ−ｔｅｒｍ  ｅｖｏｌｕｔｉｏｎ；ＬＴＥ）アーキテクチャに関し、特に、ロングタームエボリューションアーキテクチャにおける媒体アクセス制御パケットデータ単位（ＭＡＣ  ＰＤＵ）の肯定応答に関する。
【背景技術】
【０００２】
（背景）
ロングタームエボリューションのインフラストラクチャにおいて、検討されている１つの提案は、より重要なＭＡＣ  ＰＤＵに対してまたはアップリンクの電力が制限された場合に対して、正しいハイブリッド自動再送要求（ｈｙｂｒｉｄ  ａｕｔｏｍａｔｉｃ  ｒｅｐｅａｔ  ｒｅｑｕｅｓｔ；ＨＡＲＱ）のフィードバック信号検出の確率を増大させるために、肯定応答／否定応答（ＡＣＫ／ＮＡＣＫ）の再送を使用することである。これらのより重要なＭＡＣ  ＰＤＵは、例えば、制御情報をそれらの本体部またはヘッダの一部分として含んでいるものを含み得る。不連続な受信値は、ＭＡＣ  ＰＤＵで送信され得る制御情報の一例である。
【発明の概要】
【発明が解決しようとする課題】
【０００３】
複数の肯定応答／否定応答（本明細書中の以下では、複数の肯定応答と呼ばれる）に関する１つの問題は、複数のフィードバックを要求するメッセージが、隣接するタイムスロットで送信される場合に、肯定応答間の衝突が起こり得、そして拡張型ノードＢ（ｅｎｈａｎｃｅｄ  Ｎｏｄｅ  Ｂ；ｅＮＢ）は、衝突が原因で適切に肯定応答を復号化し得ないことである。隣接するタイムスロットを避けることは、待ち時間を作り出す。
【課題を解決するための手段】
【０００４】
（概要）
本開示は、区別因子（ｄｉｆｆｅｒｅｎｔｉａｔｉｎｇ  ｆａｃｔｏｒ）を用いて、複数のＨＡＲＱフィードバック（肯定応答または否定応答）を提供することにより、待ち時間の問題を克服し、かつ／またはリソースの利用を最小化する。区別因子は、異なるＵＥから受信された同一のタイムスロット内の複数のＨＡＲＱフィードバックをｅＮＢが識別することを可能にする。
【０００５】
第一の実施形態において、区別因子は、ロバストな応答要件を有するメッセージを示す複数の物理的ダウンリンク制御チャネル（ｐｈｙｓｉｃａｌ  ｄｏｗｎｌｉｎｋ  ｃｏｎｔｒｏｌ  ｃｈａｎｎｅｌ；ＰＤＣＣＨ）の使用である。２つの肯定応答がメッセージに対して必要とされる場合において、２つのＰＤＣＣＨが割り当てられ得、奇数タイムスロットで送信されるメッセージが、第一のＰＤＣＣＨで送信され得、偶数タイムスロットで送信されるメッセージが、第二のＰＤＣＣＨで送信され、それによって、隣接するタイムスロットで送信されたロバストなフィードバックを要求するメッセージに対して衝突を回避し得る。
【０００６】
さらなる実施形態において、区別因子は、フィードバックメッセージを識別する一定振幅ゼロ自己相関（Ｃｏｎｓｔａｎｔ  Ａｍｐｌｉｔｕｄｅ  Ｚｅｒｏ  Ａｕｔｏｃｏｒｒｅｌａｔｉｏｎ；ＣＡＺＡＣ）系列の異なる巡回シフトの使用である。従って、２つのＨＡＲＱフィードバックを要求するロバストなシグナリングの場合に、奇数タイムスロットで送信されたメッセージに対するフィードバックは、起こり得る巡回シフトの第一の半分を利用し得、偶数タイムスロットで送信されたメッセージに対するフィードバックは、起こり得る巡回シフトの第二の半分を利用し得る。
【０００７】
さらなる代替案の実施形態においては、周波数ブロックが、区別因子として用いられ得る。従って、２つのＨＡＲＱフィードバックを要求するロバストなシグナリングの場合に、奇数タイムスロットで送信されたメッセージに対するフィードバックは、特定のチャネル内の第一の周波数ブロックを利用し得、偶数タイムスロットで送信されたメッセージに対するフィードバックは、特定のチャネル内の第二の周波数ブロックを利用し得る。
【０００８】
さらなる実施形態においては、ハイブリッドシステムが利用され得、区別因子は、ネットワーク状態に依存し得る。従って、例えば、ネットワークが十分に利用されていない場合には、２つ以上の専用チャネルが、ロバストなＨＡＲＱシグナリングおよびフィードバックに対して用いられ得、ネットワークがビジー状態になった場合には、専用チャネルの数が、巡回シフトまたは周波数ブロックの割り当てに基づいて低減され得る。区別因子の変更は、ブロードキャストチャネルに基づいてＵＥにシグナリングされ得るか、またはｅＮＢによってサービスされている各ＵＥに専用メッセージでシグナリングされ得る。
【０００９】
さらなる実施形態において、メッセージに対するすべてのＨＡＲＱフィードバックのために同一のリソースを利用する代わりに、区別因子を介して前進するスキームが用いられ得る。従って、例えば、ロバストなＨＡＲＱフィードバックを要求するメッセージに対するすべての第一のフィードバックは、第一の巡回シフト／第一の周波数ブロックを利用し得、すべての第二のフィードバックは、第二の巡回シフト／第二の周波数ブロックを利用し得る。
【００１０】
さらなる実施形態において、様々な区別機能が組み合わされ得る。従って、システムは、周波数シフティングと巡回シフティングとの両方を利用し得、複数のＰＤＣＣＨと巡回シフティングとを利用し得、複数のＰＤＣＣＨと周波数シフティングとを利用し得る。さらなる実施形態においては、３つの区別因子すべてが、同時に用いられ得る。
【００１１】
従って、本開示は、複数の肯定応答または否定応答を必要とするダウンリンク媒体アクセス制御パケットデータ単位「ＭＡＣ  ＰＤＵ」伝送用の肯定応答または否定応答の動的な再送の方法を提供し、該方法は、複数の肯定応答または否定応答を必要とする該ダウンリンクＭＡＣ  ＰＤＵを受信するステップと、区別因子およびスキームを利用し、該複数の肯定応答または否定応答を送信するステップとを包含する。
【００１２】
本開示はさらに、複数の肯定応答または否定応答を必要とするダウンリンク媒体アクセス制御パケットデータ単位「ＭＡＣ  ＰＤＵ」伝送用の肯定応答または否定応答の動的な再送に適合されたユーザ機器を提供し、該ユーザ機器は、複数の肯定応答または否定応答を必要とする該ダウンリンクＭＡＣ  ＰＤＵを受信するように適合された通信サブシステムと、該通信サブシステムを利用する送信に対して、該複数の肯定応答または否定応答を変えるために、区別因子およびスキームを利用するように適合されたプロセッサとを特徴とする。
例えば、本発明は以下の項目を提供する。
（項目１）
複数の肯定応答または否定応答を必要とするダウンリンク媒体アクセス制御パケットデータ単位「ＭＡＣ  ＰＤＵ」伝送用の肯定応答または否定応答の動的な再送のための方法であって、該方法は、
複数の肯定応答または否定応答を必要とする該ダウンリンクＭＡＣ  ＰＤＵを受信するステップと、
区別因子およびスキームを利用し、該複数の肯定応答または否定応答を送信するステップと
を包含する、方法。
（項目２）
上記区別因子は、コード系列の巡回シフトである、項目１に記載の方法。
（項目３）
上記区別因子は、周波数ブロックである、項目１または項目２に記載の方法。
（項目４）
上記区別因子は、タイムスロットである、項目１〜項目３のうちのいずれか一項に記載の方法。
（項目５）
上記区別因子は、複数の肯定応答または否定応答を必要とするダウンリンクＭＡＣ  ＰＤＵのための複数の物理的ダウンリンク制御チャネルを利用することである、項目１〜項目４のうちのいずれか一項に記載の方法。
（項目６）
上記複数の肯定応答または否定応答は、一定振幅ゼロ自己相関「ＣＡＺＡＣ」系列の異なる巡回シフトをそれぞれ利用する、項目２に記載の方法。
（項目７）
上記複数の肯定応答および否定応答を送信するスキームは、上記ダウンリンクＭＡＣ  ＰＤＵが送信されるタイムユニットに割り当てられた番号に依存する、項目１〜項目６のうちのいずれか一項に記載の方法。
（項目８）
第一のダウンリンクＭＡＣ  ＰＤＵに対する肯定応答または否定応答の再送は、該第一のダウンリンクＭＡＣ  ＰＤＵに隣接するシステムタイムユニットで送信される第二のダウンリンクＭＡＣ  ＰＤＵに対する肯定応答または否定応答の再送と異なる巡回シフトを利用する、項目７に記載の方法。
（項目９）
第一のダウンリンクＭＡＣ  ＰＤＵに対する肯定応答または否定応答の再送は、該第一のダウンリンクＭＡＣ  ＰＤＵに隣接するシステムタイムユニットで送信される第二のダウンリンクＭＡＣ  ＰＤＵに対する肯定応答または否定応答の再送と異なる周波数ブロックを利用する、項目７に記載の方法。
（項目１０）
第一のダウンリンクＭＡＣ  ＰＤＵに対する肯定応答または否定応答の再送は、該第一のダウンリンクＭＡＣ  ＰＤＵに隣接するシステムタイムユニットで送信される第二のダウンリンクＭＡＣ  ＰＤＵに対する肯定応答または否定応答の再送と異なる物理的ダウンリンク制御チャネルを利用する、項目７に記載の方法。
（項目１１）
上記複数の肯定応答または否定応答は、異なる巡回シフトまたは異なる周波数ブロックを用いて同一のシステムタイムユニットで送信される、項目１〜項目１０のうちのいずれか一項に記載の方法。
（項目１２）
上記区別因子のためのブロードキャストチャネルを監視するステップをさらに包含する、項目１〜項目１１のうちのいずれか一項に記載の方法。
（項目１３）
上記区別因子に関する専用メッセージを受信することをさらに包含する、項目１〜項目１２のうちのいずれか一項に記載の方法。
（項目１４）
上記区別因子内でのバリエーションの数は、必要とされる肯定応答または否定応答の数に対応する、項目１〜項目１３のうちのいずれか一項に記載の方法。
（項目１５）
複数の肯定応答または否定応答を必要とするダウンリンク媒体アクセス制御パケットデータ単位「ＭＡＣ  ＰＤＵ」伝送用の肯定応答または否定応答の動的な再送に適合されたユーザ機器であって、該ユーザ機器は、
複数の肯定応答または否定応答を必要とする該ダウンリンクＭＡＣ  ＰＤＵを受信するように適合された通信サブシステムと、
該通信サブシステムを利用する送信に対して、該複数の肯定応答または否定応答を変えるために、区別因子およびスキームを利用するように適合されたプロセッサと
を特徴とする、ユーザ機器。
（項目１６）
上記区別因子は、コード系列の巡回シフトである、項目１５に記載のユーザ機器。
（項目１７）
上記区別因子は、周波数ブロックである、項目１５または項目１６に記載のユーザ機器。
（項目１８）
上記区別因子は、複数の肯定応答または否定応答を必要とするダウンリンクＭＡＣ  ＰＤＵのための複数の物理的ダウンリンク制御チャネルを利用することである、項目１５〜項目１７のうちのいずれか一項に記載のユーザ機器。
（項目１９）
上記複数の肯定応答または否定応答は、一定振幅ゼロ自己相関「ＣＡＺＡＣ」系列の異なる巡回シフトをそれぞれ利用する、項目１６に記載のユーザ機器。
（項目２０）
上記肯定応答または否定応答を送信するスキームは、上記ダウンリンクＭＡＣ  ＰＤＵが送信されるタイムユニットに割り当てられた番号に依存する、項目１５〜項目１９のうちのいずれか一項に記載のユーザ機器。
（項目２１）
第一のダウンリンクＭＡＣ  ＰＤＵに対する肯定応答または否定応答の再送は、該第一のダウンリンクＭＡＣ  ＰＤＵに隣接するシステムタイムユニットで送信される第二のダウンリンクＭＡＣ  ＰＤＵに対する肯定応答または否定応答の再送と異なる巡回シフトを利用する、項目２０に記載のユーザ機器。
（項目２２）
第一のダウンリンクＭＡＣ  ＰＤＵに対する肯定応答または否定応答の再送は、該第一のダウンリンクＭＡＣ  ＰＤＵに隣接するシステムタイムユニットで送信される第二のダウンリンクＭＡＣ  ＰＤＵに対する肯定応答または否定応答の再送と異なる周波数ブロックを利用する、項目２０に記載のユーザ機器。
（項目２３）
第一のダウンリンクＭＡＣ  ＰＤＵに対する肯定応答または否定応答の再送は、該第一のダウンリンクＭＡＣ  ＰＤＵに隣接するシステムタイムユニットで送信される第二のダウンリンクＭＡＣ  ＰＤＵに対する肯定応答または否定応答の再送と異なる物理的ダウンリンク制御チャネルを利用する、項目２０に記載のユーザ機器。
（項目２４）
上記複数の肯定応答または否定応答は、異なる巡回シフトまたは異なる周波数ブロックを用いて同一のシステムタイムユニットで送信される、項目１５〜項目２３のうちのいずれか一項に記載のユーザ機器。
（項目２５）
上記区別因子内でのバリエーションの数は、必要とされる肯定応答の数に対応する、項目１５〜項目２４のうちのいずれか一項に記載のユーザ機器。
【図面の簡単な説明】
【００１３】
本開示は、添付の図面を参照することによってよりよく理解される。
【図１】図１は、拡張型ノードＢ（ｅＮＢ）と２つのユーザ機器（ｕｓｅｒ  ｅｑｕｉｐｍｅｎｔ；ＵＥ）との間の通信を示すデータフロー図である。
【図２】図２は、ｅＮＢと２つのＵＥとの間の通信を示すデータフロー図であり、複数のチャネルが、ロバストなＨＡＲＱフィードバックのシグナリングに対して用いられる。
【図３】図３は、ｅＮＢと２つのＵＥとの間の通信を示すデータフロー図であり、巡回シフトが、衝突を回避するために利用される。
【図４】図４は、ｅＮＢと２つのＵＥとの間の通信を示すデータフロー図であり、周波数シフティングが、衝突を回避するために利用される。
【図５】図５は、ｅＮＢと２つのＵＥとの間のデータフロー図であり、巡回シフティングが、同一のタイムスロット内でロバストなシグナリングに対して用いられる。
【図６】図６は、ｅＮＢと２つのＵＥとの間のデータフロー図であり、周波数シフティングが、同一のタイムスロット内でロバストなシグナリングに対して用いられる。
【図７】図７は、ロバストなシグナリングをネットワークに依存して変更するハイブリッドシステムを利用する、ｅＮＢと２つのＵＥとの間のデータフロー図を例示している。
【図８】図８は、本開示に従った、ｅＮＢの視点からの例示的な方法のフローチャートである。
【図９】図９は、本開示に従った、ＵＥの視点からの例示的な方法のフローチャートである。
【図１０】図１０は、肯定応答メッセージの順序に依存する肯定応答スキームを利用するロバストなシグナリングを示すデータフロー図である。
【図１１】図１１は、本開示による使用に適する例示的な携帯型デバイスのブロック図である。
【図１２】図１２は、本開示による使用に適する簡単化されたｅＮＢのブロック図である。
【発明を実施するための形態】
【００１４】
（詳細な説明）
ここで図１を参照すると、図１は、拡張型ノードＢ（ｅＮＢ）と２つのユーザ機器（ＵＥ）との間のデータフロー図を例示している。ｅＮＢは、ＰＤＣＣＨ１、ＰＤＣＣＨ２、ＰＤＣＣＨ３およびＰＤＣＣＨ４と名付けられた４つの物理的ダウンリンク制御チャネル（ＰＤＣＣＨ）を含む。非持続性スケジューリングに対するＲＡＮ１（無線アクセスネットワーク１）ワーキンググループ合意に基づいて、ＡＣＫ／ＮＡＣＫリソースが、スケジューリングに対して用いられる制御チャネル（すなわち、ＰＤＣＣＨ）のインデックスにリンクされる。これに基づいて、１つ以上のダウンリンク制御チャネルが、重要なＭＡＣ  ＰＤＵのスケジューリングに対して確保され得、該重要なＭＡＣ  ＰＤＵは、より高い信頼性のために、ＨＡＲＱ（ハイブリッド自動再送要求）フィードバック、例えばＡＣＫ／ＮＡＣＫフィードバックの再送をＵＥに要求する。
【００１５】
図１の例において、ＰＤＣＣＨ１、ＰＤＣＣＨ２およびＰＤＣＣＨ３は、単一のＡＣＫ／ＮＡＣＫリソースにリンクされ得るのに対して、ＰＤＣＣＨ４は、二重のＡＣＫ／ＮＡＣＫリソースにリンクされ得る。
【００１６】
確保されたＰＤＣＣＨおよび再送の数の割り当てが、例えば、ブロードキャスト制御チャネル（ＢＣＣＨ）でブロードキャストされ得る。
【００１７】
上記の構造を利用して、図１のｅＮＢは、ＰＤＣＣＨ１、ＰＤＣＣＨ２およびＰＤＣＣＨ３を用いて、標準的な信頼性を必要とする通常のダウンリンクＭＡＣ  ＰＤＵのＵＥにスケジューリング指示を与える。図１の例は、ＰＤＣＣＨ４を用いて、より高い信頼性を必要とする重要なダウンリンクＭＡＣ  ＰＤＵのＵＥにスケジューリング指示を与える。例えば、ＭＡＣ制御ＰＤＵかまたはＭＡＣ制御ヘッダを有するＭＡＣデータＰＤＵは、ＤＲＸ制御情報を含み得る。本開示は、よりロバストな肯定応答を必要とするＭＡＣ  ＰＤＵのタイプに限定されることを意図しておらず、これは当業者によって認識される。よりロバストなフィードバックを要求するようにネットワークによって決定されている任意のＭＡＣ  ＰＤＵが、ＰＤＣＣＨ４上でスケジューリングされ得る。
【００１８】
図１の例において、信号１１０が、タイムスロット２＊ｎ−３でＰＤＣＣＨ１上のｅＮＢから送信され、タイムスロット２＊ｎ−１でＵＥによって受信される。概して、セル内のデータ伝送用の各スロットまたはタイムユニットは、システムによって番号を付けられ、該番号は、本明細書中の以下では、システムフレーム番号（Ｓｙｓｔｅｍ  Ｆｒａｍｅ  Ｎｕｍｂｅｒ；ＳＦＮ）と呼ばれる。ＬＴＥの場合に、ＳＦＮは、サブフレームに暗黙にまたは明示的に割り当てられた番号を表す。ＵＥ１は、肯定応答１１２によってメッセージ１１０に肯定応答し、肯定応答１１２がｅＮＢに送り返される。
【００１９】
信号１１５が、タイムスロット２＊ｎ−２でＰＤＣＣＨ１から送信され、タイムスロット２＊ｎでＵＥ２において受信される。メッセージ１１５は、メッセージ１１７で肯定応答され、メッセージ１１７が、ＵＥ２からｅＮＢに送り返される。
【００２０】
問題は、ロバストなシグナリングが複数の肯定応答を必要とするときに起こる。例えば、メッセージ１２０によって例示されるように、重要なＭＡＣ  ＰＤＵが、タイムスロット２＊ｎ＋１でＵＥ１に対してスケジューリングされる場合には、肯定応答が、タイムスロット２＊ｎ＋３のメッセージ１２２と、タイムスロット２＊ｎ＋４のメッセージ１２４とによって起こる。同様に、メッセージ１３０として示されるように、その後の重要なＭＡＣ  ＰＤＵが、タイムスロット２＊ｎ＋２でＵＥ２に送信されることを要求される。メッセージ１３０の肯定応答は、タイムスロット２＊ｎ＋４とタイムスロット２＊ｎ＋５とにおいて始まる、メッセージ１３２とメッセージ１３４とにおいてそれぞれ実行される。
【００２１】
図１で理解されるように、２つのＵＥからのフィードバック信号は、同一の周波数帯域、ＣＡＺＡＣ系列および該系列の巡回シフトを含む同一のアップリンクリソースをタイムスロット２＊ｎ＋５において用いる。これに起因して、ｅＮＢは、そのタイムスロット内の２つのフィードバック信号を識別する難題を有し、このことがエラーの確率を非常に増大させる。このことは、衝突１４０によって示されている。
【００２２】
当業者によって認識されるように、図１のダウンリンクの矢印は、ＰＤＣＣＨ上のスケジューリング指示と、ダウンリンク共有チャネル上のスケジューリングされたデータの伝送とを表している。本明細書中の以下では、メッセージがＰＤＣＣＨで送信されるという表現は、メッセージのスケジューリング指示がＰＤＣＣＨで送信され、実際のデータが、スケジューリング指示で指定されたリソースを用いて、ダウンリンク共有チャネルで送信されることを表すために用いられる。一方、アップリンクの矢印は、対応するＰＤＣＣＨによって示されたアップリンクリソースを用いるＨＡＲＱフィードバックを表している。
【００２３】
衝突１４０を回避する様々な解決策が提示される。ここで図２を参照する。
【００２４】
一実施形態において、ｅＮＢは、図１で記載された衝突を回避するために、重要なＰＤＵを適正な時間間隔によってスケジューリングし得る。しかしながら、これは、専用ダウンリンク制御チャネルの過小な利用をもたらし、制御情報がＵＥに送信される必要があるときには、待ち時間をもたらし得る。待ち時間を低減するために、複数のダウンリンク制御チャネルが、複数のＡＣＫ／ＮＡＣＫ再送に対して確保され得る。
【００２５】
図２の例において、ＰＤＣＣＨ３とＰＤＣＣＨ４とが、重要なＭＡＣ  ＰＤＵ伝送を示すために利用されて、２つのＡＣＫが取得される。
【００２６】
図２を参照すると、ｅＮＢが、タイムスロット２＊ｎ−３でＰＤＣＣＨ１からＵＥ１にメッセージ２１０を送信し、これは、タイムスロット２＊ｎでメッセージ２１２によって肯定応答される。
【００２７】
同様に、メッセージ２２０が、タイムスロット２＊ｎ−２でＰＤＣＣＨ１からＵＥ２に送信され、タイムスロット２＊ｎ＋１でメッセージ２２２によって肯定応答される。
【００２８】
図２の例において、ＰＤＣＣＨ３とＰＤＣＣＨ４との両方は、２つのＡＣＫ／ＮＡＣＫ再送のために、ブロードキャスト制御情報によってアップリンクリソースにリンクされる。この例において、第一のメッセージ２３０が、ＰＤＣＣＨ３からＵＥ１に送信される。このメッセージは、タイムスロット２＊ｎ＋３で肯定応答２３２によって、そしてタイムスロット２＊ｎ＋４で肯定応答２３４によって肯定応答される。
【００２９】
同様に、重要なＭＡＣ  ＰＤＵが、ＰＤＣＣＨ４からＵＥ２に送信され、メッセージ２４０として示される。これは、タイムスロット２＊ｎ＋４とタイムスロット２＊ｎ＋５とにおいて送信される、肯定応答２４２と肯定応答２４４とによってそれぞれ肯定応答される。
【００３０】
図２で理解されるように、タイムスロット２＊ｎ＋５では衝突が起こらない。なぜならば、一方の肯定応答、すなわち肯定応答２３４が、ＰＤＣＣＨ３によって示されたリソースを用いてｅＮＢに送信されるが、一方で他の肯定応答、すなわち肯定応答２４２が、ＰＤＣＣＨ４によって示されたリソースを用いてｅＮＢに送信されるからである。
【００３１】
図２の例において、どの物理的ダウンリンク制御チャネルで重要なＭＡＣ  ＰＤＵを送信するか否かの選択は、メッセージが送信される必要のあるタイムスロットに基づいて決定され得る。図２で例示されるように、例えば、ＰＤＣＣＨ３が、奇数システムフレーム番号（ＳＦＮ）で用いられ得、ＰＤＣＣＨ４が、偶数ＳＦＮで用いられ得る。認識されるように、図２の実施形態は、上記された待ち時間の問題に対処する。
【００３２】
特定の状況において、２つの専用の物理的ダウンリンク制御チャネルの使用が、システムの過小な利用をもたらす。当業者によって認識されるように、図２を参照すると、ＰＤＣＣＨ３は、１つおきのタイムスロットが利用できるだけであり、同様に、ＰＤＣＣＨ４は、１つおきのタイムスロットが利用できるだけである。さらなる実施形態が、図３を参照して記載される。
【００３３】
単一の専用ＰＤＣＣＨの効率的な動作のために、ＣＡＺＡＣ系列の利用可能な巡回シフトなどの無線リソースが、複数の群に分割され得る。図３に示されるように、例えば、フィードバックが２つの再送を必要とする場合において、利用可能な巡回シフトの半分が、奇数システムフレーム番号に事前設定され得、残りが、偶数システムフレーム番号に事前設定され得る。
【００３４】
具体的に、図１および図２の例と同様に、メッセージ３１０が、ＰＤＣＣＨ１からＵＥ１に送信され、肯定応答３１２によって応答され得る。
【００３５】
同様に、メッセージ３２０が、ＰＤＣＣＨ１からＵＥ２に送信され、肯定応答３２２によって応答され得る。
【００３６】
図３の例においては、ＰＤＣＣＨ４だけが、２つ以上のＡＣＫまたはＮＡＣＫ再送を必要とするリソースに対して用いられる。システムフレーム番号２＊ｎ＋１で送信されたメッセージ３３０の場合においては、肯定応答が、タイムフレーム２＊ｎ＋３で肯定応答３３２として送信される。同様に、第二の肯定応答３３４が、タイムフレーム２＊ｎ＋４で送信される。
【００３７】
メッセージ３３０が奇数のシステムフレーム番号に由来するので、そのメッセージに対するすべての肯定応答は、例えば、第一の群からの巡回シフトを利用し得る。
【００３８】
同様に、メッセージ３４０が、ＰＤＣＣＨ４からＵＥ２に送信され、そして２つの肯定応答を必要とする。これらは、肯定応答３４２および３４４として送信される。
【００３９】
メッセージ３４０が偶数のシステムフレーム番号に由来するので、第二の群からの巡回シフトが、メッセージ３４０からのすべての肯定応答に適用され得る。この場合においては、２つの肯定応答が、タイムフレーム２＊ｎ＋５でｅＮＢによって受信される。しかしながら、肯定応答３３４は、第一の巡回シフトを利用し、肯定応答３４２は、第二の巡回シフトを利用する。このように、ｅＮＢは、ＨＡＲＱフィードバックリソースを識別することが可能であり、衝突が全く起こらない。
【００４０】
当業者によって認識されるように、重要なＭＡＣ  ＰＤＵの頻度が、残りのトラヒックの頻度よりもかなり小さいので、アップリンクＨＡＲＱフィードバックのリソースを、例えば、巡回シフトのために複数の群に仕切ることは、おそらくネットワーク内の問題を全く起こさないであろう。
【００４１】
巡回シフトに仕切ることの代替案としては、周波数ブロックの群が、専用ＰＤＣＣＨに割り当てられ得、そしてＵＥは、複数のＨＡＲＱフィードバックを伝送するときに、システムフレーム番号によって決定された周波数ブロックを用いる。２つの再送の場合において、ＵＥは、衝突を回避するために、ＨＡＲＱフィードバックを２つの周波数ブロックのうちの１つで送信し得る。ここで、図４を参照する。
【００４２】
図１、図２および図３と同様に、メッセージ４１０が、ＰＤＣＣＨ１からＵＥ１に送信され、肯定応答４１２によって肯定応答される。同様に、メッセージ４２０が、ＰＤＣＣＨ１からＵＥ２に送信され、肯定応答４２２によって肯定応答される。
【００４３】
重要なＭＡＣ  ＰＤＵが、ｅＮＢで受信され、そしてＵＥ１に送信されることを要求される。このＭＡＣ  ＰＤＵは、メッセージ４３０で送信され、メッセージ４３２および４３４によって肯定応答される。同様に、その後のタイムスロットにおいて、重要なメッセージが、ＵＥ２に送信されることを要求され、これはメッセージ４４０として送信され、メッセージ４４２および４４４として肯定応答される。
【００４４】
メッセージ４３０が、奇数システムフレーム番号であるタイムスロット２＊ｎ＋１から始まるので、メッセージ４３０に対する肯定応答は、ＰＤＣＣＨ４にリンクされた第一の周波数ブロックを利用し得る。同様に、メッセージ４４０が、偶数システムフレーム番号であるタイムスロット２＊ｎ＋２から始まるので、メッセージ４４０に対する肯定応答は、ＰＤＣＣＨ４にリンクされた第二の周波数ブロックで送信され得る。これは、図４のＰＤＣＣＨ４の上部近くの領域に進行する肯定応答４３２および４３４と、図４のＰＤＣＣＨ４の底部近くの領域に進行する肯定応答４４２および４４４とによって例示されている。
【００４５】
当業者によって認識されるように、タイムスロット２＊ｎ＋５は、２つのＨＡＲＱフィードバック応答を受信する。これらは、肯定応答４３４および４４２である。しかしながら、メッセージ４３４が第一の周波数ブロックを用い、そして肯定応答４４２が第二の周波数ブロックを用いるので、ｅＮＢは、２つのＨＡＲＱフィードバックを識別することが可能であり、従って、衝突が全く起こらない。
【００４６】
ここで図５を参照する。図５は、同一のタイムスロット内で受信されたメッセージに対して２つのＨＡＲＱフィードバックが送信され得る一代替案を示している。しかしながら、これらのフィードバックは、ｅＮＢによって識別されることが可能であるように、異なる巡回シフトを利用する。具体的に、図１〜図４と同様に、メッセージ５１０は、ＰＤＣＣＨ１からＵＥ１に送信され、そしてメッセージ５１２によって肯定応答される。
【００４７】
同様に、メッセージ５２０は、ＰＤＣＣＨ１からＵＥ２に送信され、メッセージ５２２によって肯定応答される。
【００４８】
重要なＭＡＣ  ＰＤＵが、ＵＥ１に送信される必要があり、タイムスロット２＊ｎ＋１でメッセージ５３０として送信される。図５の例においては、２つの肯定応答が、その後の肯定応答タイムスロット２＊ｎ＋３で送信される。これらは、メッセージ５３２および５３４である。
【００４９】
図５から理解されるように、メッセージ５３２とメッセージ５３４とは、両方とも同一のタイムスロットで送信されるが、異なる巡回シフトを利用しており、従って、ｅＮＢで識別され得る。
【００５０】
その後のタイムスロットにおいて、重要なＭＡＣ  ＰＤＵが、送信されることを要求される。重要なＭＡＣ  ＰＤＵは、ＰＤＣＣＨ４上のメッセージ５４０として送信され、フィードバック５４２および５４４（フィードバック再送）によって肯定応答される。ここでまた、メッセージ５４２および５４４が、同一のタイムスロット内で肯定応答され、そして巡回シフトを利用することにより、ｅＮＢがこの２つの肯定応答を識別することを可能にする。ｅＮＢは、両方の肯定応答を単に組み合わせて、信頼性を改善する。
【００５１】
図５を参照すると、当業者によって認識されるように、複数の肯定応答が必要とされているときでも、その後のタイムスロットの間で衝突が全く起こらない。なぜならば、複数の肯定応答のすべてが、異なる巡回シフトを利用する同一のタイムスロットで送信されるからである。
【００５２】
ここで図６を参照する。図６は、重要なＭＡＣ  ＰＤＵに対する複数の肯定応答が、同一のタイムスロットで送信され、そして周波数ブロックによって区別されるデータフロー図を示している。具体的に、メッセージ６１０が、ＰＤＣＣＨ１からＵＥ１に送信される。ＵＥ１は、肯定応答６１２でメッセージを肯定応答する。
【００５３】
同様に、メッセージ６２０が、ＰＤＣＣＨ１からＵＥ２に送信され、メッセージ６２２として肯定応答される。
【００５４】
複数のＨＡＲＱフィードバックを要求するダウンリンクＭＡＣ  ＰＤＵが、タイムスロット２＊ｎ＋１でｅＮＢに到着し、そしてメッセージ６３０でＵＥ１に送信される。ＵＥ１は、タイムスロット２＊ｎ＋３において、このタイムスロット内の２つの肯定応答メッセージ（すなわち、肯定応答メッセージ６３２および６３４）を利用して、メッセージを肯定応答する。肯定応答６３２および６３４は、２つの肯定応答メッセージ間の異なる周波数ブロックに基づいて、ｅＮＢで識別され得る。ｅＮＢは、両方の肯定応答を単に組み合わせて、信頼性を改善する。
【００５５】
同様に、メッセージ６４０によって示されるように、ＵＥ２に対して複数のＨＡＲＱフィードバックを要求するメッセージが、ｅＮＢに到着し、そしてタイムスロット２＊ｎ＋２でＵＥ２に送信される。メッセージ６４０は、肯定応答６４２および６４４によって肯定応答され、それらは、ここでまた同一のタイムスロットで送信され、肯定応答間の異なる周波数ブロックによってｅＮＢで区別される。
【００５６】
当業者によって認識されるように、上記の組み合わせは、ネットワーク状態に依存して利用され得る。このことは、例えば、図７を参照する。図７は、複数の肯定応答を必要とするメッセージが、ネットワーク状態または他の因子に依存する区別に対して様々なスキームを利用するデータフロー図を例示している。
【００５７】
図７において、複数の肯定応答を必要とする、ＵＥ１に対するメッセージが到着する。図７の最初の区別スキームに基づいて、メッセージ７１０が、ＰＤＣＣＨ３からＵＥ１に送信され、肯定応答７１２および７１４が、ＵＥ１からｅＮＢに送り返される。複数のフィードバックを要求するさらなるメッセージが、ＵＥ２のためにｅＮＢに到着し、そしてその後のタイムスロットでＰＤＣＣＨ４からＵＥ２にメッセージ７２０として送信される。メッセージ７２０は、メッセージ７２２および７２４によって肯定応答される。タイムスロット２＊ｎ＋１において見られるように、複数の肯定応答が、同一のタイムスロット内でｅＮＢに送り返されているけれども、ＵＥ１がＰＤＣＣＨ３によって示されたリソースを利用し、そしてＵＥ２がＰＤＣＣＨ４で示されたリソースを利用するので、衝突が全く起こらない。
【００５８】
ＵＥ２から送信される肯定応答７２２の後で、ｅＮＢは、ネットワークトラヒックが増大しており、複数の肯定応答のための専用ＰＤＣＣＨの使用が低減されるべきであることを決定する。この点において、ｅＮＢは、巡回シフトまたは周波数ブロックなどの区別因子に基づいて、肯定応答が実行されるべきであるというメッセージをブロードキャストチャネルで送信し得る。図７の例においては、周波数ブロックが利用される。
【００５９】
さらなるメッセージ７３０が、ｅＮＢによって受信され、タイムスロット２＊ｎ＋１１においてＰＤＣＣＨ４からＵＥ１に送信される。メッセージ７４０が、ｅＮＢによって受信され、タイムスロット２＊ｎ＋１２においてＰＤＣＣＨ４からＵＥ２に送信される。メッセージ７３０とメッセージ７４０との両方は、複数のＨＡＲＱフィードバックを要求する。
【００６０】
肯定応答７３２が、ｅＮＢからブロードキャストチャネルでブロードキャストされたメッセージに基づいて、第一の周波数ブロックを利用するタイムスロット２＊ｎ＋１３でＵＥ１からｅＮＢに送信される。同様に、肯定応答７３４が、肯定応答７３２と同一の周波数を利用して、ＵＥ１からｅＮＢにタイムスロット２＊ｎ＋１４で送信される。
【００６１】
肯定応答７４２が、ｅＮＢからブロードキャストチャネルで送信されたメッセージに基づいて、第二の周波数ブロックを利用するタイムスロット２＊ｎ＋１４でＵＥ２からｅＮＢに送信される。同様に、肯定応答７４４が、第二の周波数ブロックを利用して、ＵＥ２からｅＮＢにタイムスロット２＊ｎ＋１５で送信される。
【００６２】
肯定応答７３４と肯定応答７４２との両方が、タイムスロット２＊ｎ＋１５で受信されるので、肯定応答の間の区別因子がなければ衝突が起こる。しかしながら、この場合においては、肯定応答７３４が、第一の周波数ブロックで送信され、そして肯定応答７４２が、第二の周波数ブロックで送信されており、従って、ｅＮＢが肯定応答を識別することを可能にする。
【００６３】
本明細書中で用いられるとき、区別因子は、同一のタイムスロットで受信された肯定応答メッセージをｅＮＢが識別することを可能にする技術を表している。区別因子は、複数の肯定応答を必要とするメッセージを送信する異なる物理的ダウンリンク制御チャネルを使用することか、異なる巡回シフトを指定することか、または異なる周波数ブロックを指定することを含むが、これらに限定されない。
【００６４】
一実施形態において、区別因子は、最初のメッセージが送信されるタイムスロットに基づいて利用される。例えば、２つの肯定応答が必要とされる場合において、奇数タイムスロットで送信されたメッセージは、第一の巡回シフトを利用するかまたは第一の周波数ブロックを利用して、ｅＮＢに応答され得る。偶数タイムスロットで送信されたメッセージは、第二の巡回シフトを利用するかまたは第二の周波数ブロックを利用して、ｅＮＢに応答され得る。
【００６５】
さらなる実施形態において、応答に用いられる区別因子は、肯定応答番号に基づき得る。具体的に、上記において、２つの肯定応答を必要とする、偶数タイムスロットで送信されたメッセージが、第二の巡回シフトなどの区別因子の第二のバリエーションを利用して送信される、両方の肯定応答を有することが記載されている。さらなる実施形態において、このことは、任意のメッセージに対する応答に、区別因子の第一のバリエーションを利用する第一の肯定応答と、第二の区別因子のバリエーションを利用する第二の肯定応答とを要求させることによって置き換えられ得る。例えば、すべての第一の肯定応答が、第一の周波数ブロックを利用し、すべての第二の肯定応答が、第二の周波数ブロックを利用する。
【００６６】
当業者によって理解されるように、上記のことは、同一のタイムスロット内の肯定応答の衝突をなおも回避する。具体的に、図１０を参照すると、区別因子が周波数ブロックである場合において、２つの肯定応答を必要とするメッセージ１０１０が、タイムスロット２＊ｎ−３で送信される。第一の肯定応答１０１２が、タイムスロット２＊ｎ−１で送信され、そして第一の周波数ブロックを利用する。メッセージ１０１０に応答する第二の肯定応答１０１４が、タイムスロット２＊ｎで送信され、そして第二の周波数ブロックを利用する。
【００６７】
複数の肯定応答を必要とするメッセージ１０２０が、タイムスロット２＊ｎ−２でＰＤＣＣＨ４からＵＥ２に送信され、そして第一の周波数ブロックを利用するタイムスロット２＊ｎの肯定応答１０２２、および第二の周波数ブロックを利用するタイムスロット２＊ｎ＋１の肯定応答１０２４によって肯定応答される。
【００６８】
上記から理解され得るように、タイムスロット２＊ｎは、ｅＮＢに送信された２つの肯定応答を有する。しかしながら、肯定応答１０１４が第二の周波数ブロックを利用し、肯定応答１０２２が第一の周波数ブロックを利用する。
【００６９】
従って、メッセージに対するすべての肯定応答に、区別因子における同一のバリエーションの利用を要求する代わりに、メッセージに対する肯定応答は、衝突を回避するために、区別因子のバリエーションにおける同一の前進を利用しなければならない。
【００７０】
ここで図８を参照する。図８は、ｅＮＢの視点からの区別因子を設定する方法を例示している。具体的に、プロセスは、ステップ８１０で始まり、区別因子がＵＥにブロードキャストされるステップ８１２に進む。当業者によって認識されるように、ブロードキャストは、任意のブロードキャストチャネル上で起こり得るか、またはｅＮＢによってサービスされているＵＥに対する専用メッセージであり得る。プロセスは次いで、ステップ８１４で終了する。
【００７１】
ここで図９を参照する。図９は、ＵＥの視点からの方法のフロー図を例示している。プロセスは、ステップ９１０で始まり、ＵＥが用いるべき区別因子の指示を取得するステップ９１２に進む。ステップ９１２は区別因子を含み得、該区別因子は、ブロードキャストチャネル上のブロードキャストか、ＵＥに送信される専用メッセージか、または事前設定された（ＵＥに内蔵されたかまたはＵＥに提供された）区別因子である。最も後者の場合において、区別因子を変更することは困難である。
【００７２】
プロセスは次いで、複数の肯定応答を必要とするメッセージをＵＥが受信するステップ９１４に進む。そのようなメッセージは、ＭＡＣ制御ＰＤＵかまたはそのヘッダ内に制御情報を有するＭＡＣデータＰＤＵを含むが、これらに限定されない。
【００７３】
プロセスは次いで、所定のスキームに従った区別因子を利用して、ｅＮＢに対して肯定応答が送信されるステップ９１６に進む。例えば、区別因子は、ＰＤＣＣＨによって示される、異なる巡回シフトまたは異なる周波数ブロックを含む。これらの区別因子を利用するスキームは、時間に基づいたスキームを含み得、特定のタイムスロットで送信されるメッセージに対するすべての肯定応答が、同一の区別因子を利用する。例えば、奇数タイムスロットで送信されるメッセージに対するすべての肯定応答が、第一の周波数ブロックを用い得る。
【００７４】
あるいは、スキームは、肯定応答の順序に基づいた区別因子の使用を含み得る。例えば、すべての第一の肯定応答が、第一の周波数ブロックを利用し得、すべての第二の肯定応答が、第二の周波数ブロックを利用し得る。
【００７５】
プロセスは次いで、ステップ９１８に進み、そして終了する。
【００７６】
当業者によって認識されるように、図９の方法は、同一のタイムスロットで受信された肯定応答をｅＮＢが識別するかまたは区別することを可能にすることによって、衝突を回避する。さらに、待ち時間の問題が低減され、巡回シフティングまたは周波数シフティングの場合においては、ネットワークリソースがより完全に利用される。
【００７７】
上記の例は、特定のＭＡＣ  ＰＤＵに対して２つの肯定応答の要件を用いる。しかしながら、上記の技術は、３つ以上の肯定応答を必要とするメッセージに対して拡張され得る。この場合においては、専用の物理的ダウンリンク制御チャネルの数が、必要とされる肯定応答の数と等しくあり得るか、巡回シフトの群の数が、必要とされる肯定応答の数と等しくあり得るか、または周波数ブロックの数が、必要とされる肯定応答の数と等しくあり得る。
【００７８】
上記に対するさらなる拡張においては、ネットワークに過度の負担をかけることなく、様々な区別因子が、肯定応答に対する識別機能の数を増大させるために、同時に利用され得る。具体的に、ネットワークは、複数の肯定応答メッセージに利用され得る専用の物理的ダウンリンク制御チャネルの数か、識別され得る巡回シフトの数か、または識別され得る周波数シフトの数に制限され得る。
【００７９】
従って、３つ以上の肯定応答を必要とするシステムは、周波数ブロックおよび巡回シフトか、物理的ダウンリンク制御チャネルおよび周波数ブロックか、または物理的ダウンリンク制御チャネルおよび巡回シフトを組み合わせ得る。４つの肯定応答が必要とされる例は、第一の巡回シフトおよび第一の周波数シフトを第一のタイムスロットで、第一の巡回シフトおよび第二の周波数シフトを第二のタイムスロットで、第二の巡回シフトおよび第一の周波数シフトを第三のタイムスロットで、第二の巡回シフトおよび第二の周波数シフトを第四のタイムスロットで利用し得る。上記に対する様々な代替案が、本開示に関心を有する当業者に明らかとなる。本開示は、区別因子の組み合わせを何らの特定のグループ化に限定することを意図されない。
【００８０】
上記のことは、任意のＵＥおよびｅＮＢで実装され得る。例示的なＵＥが、図１１を参照して記載される。しかしながら、本開示は、図１１の実施形態に限定されることを意図されておらず、任意のＵＥが利用され得る。
【００８１】
図１１は、本用途の装置および方法の好適な実施形態による使用に適するユーザ機器を例示するブロック図である。ユーザ機器１１００は、好ましくは、少なくとも音声通信およびデータ通信の能力を有する双方向無線通信デバイスである。ユーザ機器１１００は、好ましくは、インターネット上の他のコンピュータシステムと通信する機能を有する。
【００８２】
ユーザ機器１１００は、受信器１１１２と送信器１１１４との両方と、好ましくは埋め込み型または内部の１つ以上のアンテナ要素１１１６および１１１８などの関連する構成要素と、局部発振器（ＬＯ）１１１３と、デジタル信号プロセッサ（ＤＳＰ）１１２０などの処理モジュールとを含む通信サブシステム１１１１を組み込む。通信分野の当業者には明らかなように、通信サブシステム１１１１の特定の設計は、デバイスが動作することを意図される通信ネットワークに依存する。
【００８３】
ＬＴＥのユーザ機器は、ネットワーク上で動作するために、取り外し可能なユーザ識別モジュール（ＲＵＩＭ）カードまたは加入者識別モジュール（ＳＩＭ）カードを必要とし得る。ＳＩＭ／ＲＵＩＭインタフェース１１４４は、標準的に、ＳＩＭ／ＲＵＩＭカードがディスケットまたはＰＣＭＣＩＡカードのように挿入され、そして取り出され得るカードスロットに類似している。ＳＩＭ／ＲＵＩＭカードは、約６４Ｋのメモリを有し、多くの基本的な設定１１５１と、識別および加入者関連情報などの他の情報１１５３とを保持し得る。
【００８４】
必要とされるネットワーク登録または起動手順が完了すると、ユーザ機器１１００は、ネットワーク１１１９上で通信信号を送信および受信し得る。図１１で例示されるように、ネットワーク１１１９は、ユーザ機器と通信する複数の基地局から成り得る。
【００８５】
通信ネットワーク１１１９を介してアンテナ１１１６により受信された信号は、受信器１１１２に入力され、受信器１１１２は、信号増幅、周波数ダウンコンバージョン、フィルタリング、チャネル選択などの一般的な受信器機能と、図１１に示されたシステム例においては、アナログ−デジタル（Ａ／Ｄ）変換とを実行し得る。受信された信号のＡ／Ｄ変換は、復調および復号化などのより複雑な通信機能が、ＤＳＰ１１２０において実行されることを可能にする。同様な態様で、伝送される信号は、例えば、変調および符号化を含む処理がＤＳＰ１１２０によって行われ、そしてデジタル−アナログ変換、周波数アップコンバージョン、フィルタリング、増幅、およびアンテナ１１１８を介する通信ネットワーク１１１９上の伝送のために、送信器１１１４に入力される。ＤＳＰ１１２０は、通信信号を処理するだけでなく、受信器および送信器の制御を提供する。例えば、受信器１１１２および送信器１１１４において通信信号に適用される利得は、ＤＳＰ１１２０内に実装された自動利得制御アルゴリズムを介して適応的に制御され得る。
【００８６】
ユーザ機器１１００は、好ましくは、デバイス全体の動作を制御するマイクロプロセッサ１１３８を含む。少なくともデータ通信および音声通信を含む通信機能が、通信サブシステム１１１１を介して実行される。マイクロプロセッサ１１３８はまた、ディスプレイ１１２２、フラッシュメモリ１１２４、ランダムアクセスメモリ（ＲＡＭ）１１２６、補助入力／出力（Ｉ／Ｏ）サブシステム１１２８、シリアルポート１１３０、１つ以上のキーボードまたはキーパッド１１３２、スピーカ１１３４、マイクロホン１１３６、短距離通信サブシステムなどの他の通信サブシステム１１４０、および概して１１４２で示される任意の他のデバイスサブシステムなどの、さらなるデバイスサブシステムと相互作用する。シリアルポート１１３０は、ＵＳＢポートまたは当業者に公知の他のポートを含み得る。
【００８７】
図１１に示されたサブシステムの一部が、通信関連の機能を実行するのに対して、他のサブシステムは、「常駐」またはオンデバイス（ｏｎ−ｄｅｖｉｃｅ）の機能を提供し得る。特に、例えば、キーボード１１３２およびディスプレイ１１２２などの一部のサブシステムは、通信関連機能（例えば、通信ネットワークに伝送するためのテキストメッセージを入力すること）と、デバイス常駐機能（例えば、計算器またはタスクリスト）との両方に対して用いられ得る。
【００８８】
マイクロプロセッサ１１３８によって用いられるオペレーティングシステムソフトウェアは、好ましくはフラッシュメモリ１１２４などの永続性記憶装置内に格納され、該永続性記憶装置は、代わりとして、読み出し専用メモリ（ＲＯＭ）または同様な記憶要素（図示されない）であり得る。当業者は、オペレーティングシステム、特定のデバイス用アプリケーション、またはそれらの一部分が、ＲＡＭ１１２６などの揮発性メモリ内に一時的にロードされ得ることを認識する。受信された通信信号がまた、ＲＡＭ１１２６内に格納され得る。
【００８９】
示されるように、フラッシュメモリ１１２４は、コンピュータプログラム１１５８と、プログラム用データ記憶１１５０、１１５２、１１５４および１１５６との両方のために異なる領域に分離され得る。これらの様々な記憶のタイプは、各プログラムが、それら自体のデータ記憶要件のためにフラッシュメモリ１１２４の一部分を割り当て得ることを示している。マイクロプロセッサ１１３８は、そのオペレーティングシステム機能に加えて、好ましくは、ユーザ機器上でソフトウェアアプリケーションの実行を可能にする。例えば、少なくともデータ通信および音声通信のアプリケーションを含む基本的動作を制御する所定のアプリケーションの組が、通常は製造の間にユーザ機器１１００にインストールされる。他のアプリケーションは、その後にまたは動的にインストールされ得る。
【００９０】
好適なソフトウェアアプリケーションは、ユーザ機器のユーザに関連するデータ項目（限定ではないが、電子メール、行事予定表、音声メール、アポイントメントおよびタスク項目など）を組織化し、管理する能力を有する個人情報マネージャ（ＰＩＭ）アプリケーションであり得る。もちろん、１つ以上のメモリ記憶装置が、ＰＩＭデータ項目の記憶を容易にするためにユーザ機器上で利用可能である。そのようなＰＩＭアプリケーションは、好ましくは、無線ネットワーク１１１９を介してデータ項目を送信および受信する能力を有する。好適な実施形態において、ＰＩＭデータ項目は、無線ネットワーク１１１９を介して、ホストコンピュータシステムに格納されたかまたはそれと関連づけられた、ユーザ機器のユーザの対応するデータ項目とシームレスに統合され、同期され、そしてアップデートされる。さらなるアプリケーションがまた、ユーザ機器１１００上に、ネットワーク１１１９、補助Ｉ／Ｏサブシステム１１２８、シリアルポート１１３０、短距離通信サブシステム１１４０、または任意の他の適切なサブシステム１１４２を介してロードされ、マイクロプロセッサ１１３８による実行のために、ＲＡＭ１１２６または好ましくは、不揮発性記憶装置（図示されない）にユーザによってインストールされ得る。アプリケーション導入におけるそのような柔軟性が、デバイスの機能性を増大させ、強化されたオンデバイスの機能、通信関連機能、またはその両方を提供し得る。例えば、セキュアな通信アプリケーションは、電子商取引機能およびそのような他の金融取引が、ユーザ機器１１００を用いて実行されることを可能にし得る。
【００９１】
データ通信モードにおいて、テキストメッセージまたはダウンロードされたウェブページなどの受信された信号が、通信サブシステム１１１１によって処理され、そしてマイクロプロセッサ１１３８に入力され、マイクロプロセッサ１１３８は、好ましくは、ディスプレイ１１２２または代替として補助Ｉ／Ｏデバイス１１２８に出力するために受信された信号をさらに処理する。
【００９２】
ユーザ機器１１００のユーザはまた、例えば、電子メールメッセージなどのデータ項目を、ディスプレイ１１２２および可能性としては補助Ｉ／Ｏデバイス１１２８とともにキーボード１１３２を用いて作り出し得、キーボード１１３２は、好ましくは、完全な英数字キーボードまたは電話タイプのキーパッドである。そのような作り出された項目は、次いで、通信サブシステム１１１１を介して通信ネットワーク上に伝送され得る。
【００９３】
音声通信に関して、ユーザ機器１１００全体の動作は、受信された信号が好ましくはスピーカ１１３４に出力され、そして伝送用の信号がマイクロホン１１３６によって生成されることを除いて、類似している。音声メッセージ記録サブシステムなどの代替的な音声またはオーディオのＩ／Ｏサブシステムがまた、ユーザ機器１１００上に実装され得る。音声またはオーディオの信号出力は、好ましくは、主としてスピーカ１１３４を介して遂行されるが、ディスプレイ１１２２もまた、例えば、発信者識別の表示、音声通話の継続時間または他の音声通話関連情報を提供するために用いられ得る。
【００９４】
図１１のシリアルポート１１３０は、ユーザのデスクトップコンピュータ（図示されない）との同期が望ましいことがある携帯情報端末（ＰＤＡ）タイプのユーザ機器に通常は実装されるが、シリアルポート１１３０は、選択的なデバイス構成要素である。そのようなポート１１３０は、外部デバイスまたはソフトウェアアプリケーションを介してユーザが嗜好を設定することを可能にし、そして無線通信ネットワークを介することなく、ユーザ機器１１００に情報またはソフトウェアのダウンロードを提供することによって、ユーザ機器１１００の能力を拡張する。代替のダウンロード経路が、例えば、直接接続（従って、確実で、かつ信頼できる接続）を介してデバイス上に暗号化キーをロードするために用いられ得ることにより、それによって、セキュアなデバイス通信を可能にする。当業者によって認識されるように、シリアルポート１１３０はさらに、携帯型デバイスをコンピュータと接続するために用いられ得ることにより、モデムとして動作する。
【００９５】
短距離通信サブシステムなどの他の通信サブシステム１１４０は、さらに選択的な構成要素であり、ユーザ機器１１００と、様々なシステムまたはデバイス（必ずしもユーザ機器と類似のデバイスである必要はない）との間の通信を提供し得る。例えば、サブシステム１１４０は、赤外線デバイスならびに関連する回路および構成要素、またはブルートゥースＴＭ通信モジュールを含み得ることにより、同様に通信可能にされたシステムおよびデバイスとの通信を提供する。
【００９６】
図１２を参照すると、簡単化された拡張型ノードＢ１２１０が提供される。拡張型ノードＢ１２１０は、ユーザ機器との通信用、そしてさらにネットワークからのデータ受信用の通信サブシステム１２１２を含む。
【００９７】
拡張型ノードＢはさらに、ＵＥに伝えられるデータを格納するバッファ１２１４を含む。
【００９８】
拡張型ノードＢはさらに、本明細書中の図１〜図１０の実施形態に従った、シグナリングを起動し、応答を処理するように適合されたプロセッサ１２１６を含む。
【００９９】
本明細書中に記載された実施形態は、本出願の技術の要素に対応する要素を有する構造、システムまたは方法の例である。上記の説明は、本出願の技術の要素に同じく対応する代替の要素を有する実施形態を当業者が作成し、用いることを可能にし得る。従って、本出願の技術の意図される範囲は、他の構造、システムまたは方法を含む。
【図１】
0005463284.tif 000002
【図２】
0005463284.tif 000003
【図３】
0005463284.tif 000004
【図４】
0005463284.tif 000005
【図５】
0005463284.tif 000006
【図６】
0005463284.tif 000007
【図７】
0005463284.tif 000008
【図８】
0005463284.tif 000009
【図９】
0005463284.tif 000010
【図１０】
0005463284.tif 000011
【図１１】
0005463284.tif 000012
【図１２】
0005463284.tif 000013